(57)【特許請求の範囲】
【請求項１】
装置本体と、
前記装置本体に配置された定着装置と、
前記装置本体に配置されたロック部材と、
を備え、
前記定着装置は、
記録媒体に形成されたトナー画像を定着させる定着装置本体と、
前記定着装置本体に対して開閉可能に配置された定着カバーと、
を備え、
前記定着カバーは、
前記定着装置本体に対して開閉可能に配置された定着カバー本体と、
前記定着カバー本体に設けられた被ロック部と、
を備え、
前記被ロック部は、前記定着カバーが前記定着装置本体に対して開けられたときに、前記ロック部材に係止される、画像形成装置。
【請求項２】
前記定着カバー本体は、
前記定着装置本体の後面を開閉する第１カバー部と、
前記定着装置本体の上面を開閉する第２カバー部と
を備え、
前記第１カバー部の下端部側は、前記後面の下端部側において前記後面の横幅方向に沿った第１回動軸線を中心に回動可能に支持され、
前記第２カバー部の後端部側は、前記第１カバー部の上端部側において前記後面の横幅方向に沿った第２回動軸線を中心に回動可能に連結され、
前記被ロック部は、前記第１カバー部に設けられる、請求項１に記載の画像形成装置。
【請求項３】
前記被ロック部は、前記定着カバー本体の横側に設けられ、
前記ロック部材は、前記後面の横側に配置され、
前記ロック部材は、前記被ロック部の後側に突出された係止部を有し、
前記定着カバーが前記定着装置本体に対して開けられたとき、前記被ロック部は、前記係止部の下側に潜り込むことで、前記係止部に係止される、請求項２に記載の画像形成装置。
【請求項４】
前記被ロック部は、前記定着カバーが前記定着装置本体に対して開けられたとき、前記係止部の後側を通って前記係止部の下側に潜り込む、請求項３に記載の画像形成装置。
【請求項５】
前記被ロック部の端部が前記ロック部材に係止される、請求項１〜請求項４の何れかの１項に記載の画像形成装置。
【請求項６】
前記装置本体は、前記装置本体の側面に対して開閉可能な側面カバーを更に備え、
前記側面カバーの下端部側は、前記側面の下端部側において前記側面の横幅方向に沿った第３回動軸線を中心に回動可能に支持され、
前記側面カバーは、前記側面に対して開けられたときに、前記定着カバーを露出させ、
前記定着カバーは、前記側面カバーが前記側面に対して閉じられたときに、前記側面カバーによって押圧されて、前記定着装置本体に対して閉じられる、請求項１〜請求項５の何れかの１項に記載の画像形成装置。
【発明の詳細な説明】
【技術分野】
【０００１】
本発明は、画像形成装置に関する。
【背景技術】
【０００２】
トナーを用いて用紙に画像を形成する画像形成装置は、トナー画像を定着させる定着装置を備える。このような定着装置として、特許文献１の定着装置が知られている。この定着装置は、定着装置本体と定着カバーとを備える。定着カバーは、第１カバー部と第２カバー部とを備える。第１カバー部は、定着装置本体の後面を開閉し、第２カバー部は、定着装置本体の上面を開閉する。第１カバー部は、下端部が前記後面に回動可能に支持される。第２カバー部は、第１カバー部の上端部において第１カバー部に対して垂直に延設される。定着カバーが回動されて前記後面及び前記上面が開放されることで、定着装置本体のジャム処理（即ち詰まった用紙を除去する作業）が可能である。
【先行技術文献】
【特許文献】
【０００３】
【特許文献１】特開２００９−２５１３０９号公報
【発明の概要】
【発明が解決しようとする課題】
【０００４】
しかしながら、上記の定着装置では、ジャム処理の際、開けられた定着カバーが勝手に閉じないように、手によって定着カバーを押さえる必要があり、ジャム処理の作業性が低下する。
【０００５】
また、上記の定着装置では、定着カバーが開けられる際、第２カバー部は、定着装置本体の上空を円弧軌道を描いて回動する。従って、定着装置本体の上空は、第２カバー部の開閉動作のためのスペースとして確保する必要があり、画像形成装置が大型化する。
【０００６】
本発明は上記課題に鑑みてなされたものであり、その目的は、定着装置のジャム処理の作業性を向上させることが可能な画像形成装置を提供することにある。
【課題を解決するための手段】
【０００７】
本発明に係る画像形成装置は、装置本体と、定着装置と、ロック部材とを備える。前記定着装置は、前記装置本体に配置される。前記ロック部材は、前記装置本体に配置される。前記定着装置は、定着装置本体と、定着カバーとを備える。前記定着装置本体は、記録媒体に形成されたトナー画像を定着させる。前記定着カバーは、前記定着装置本体に対して開閉可能に配置される。前記定着カバーは、定着カバー本体と、被ロック部とを備える。前記定着カバー本体は、前記定着装置本体に対して開閉可能に配置される。前記被ロック部は、前記定着カバー本体に設けられる。前記被ロック部は、前記定着カバーが前記定着装置本体に対して開けられたときに、前記ロック部材に係止される。
【発明の効果】
【０００８】
本発明によれば、定着装置のジャム処理の作業性を向上させることが可能である。
【図面の簡単な説明】
【０００９】
【図１】本発明の実施形態に係る画像形成装置の概略構成を示した断面図である。
【図２】リアカバーが開けられた筐体の斜視図である。
【図３】筐体の部分拡大図であって定着カバーが開けられた定着部を示した図である。
【図４】図３の部分拡大図である。
【図５】リアカバーが閉じられた筐体の斜視図である。
【図６】定着カバーが閉じられた定着部の斜視図である。
【図７】図６のVII-VII線に沿った断面図である。
【図８】定着カバーが開けられた定着部の斜視図である。
【図９】折り畳まれていない定着カバーの斜視図である。
【図１０】折り畳まれた定着カバーの斜視図である。
【図１１】第１カバー部及び被ロック部の斜視図である。
【図１２】第２カバー部の斜視図である。
【図１３】ロック部材の斜視図である。
【図１４】定着カバーが閉じられた定着部の側面視の断面図である。
【図１５】定着カバーが途中まで開けられた定着部の側面視の断面図である。
【図１６】定着カバーが全開された定着部の側面視の断面図である。
【図１７】定着カバーの開動作に伴う被ロック部の動作を示した側面視図である。
【図１８】リアカバー及び定着カバーが開けられた筐体の側面視の断面図である。
【発明を実施するための形態】
【００１０】
以下、本発明の実施形態について、図面を参照しながら説明する。なお、図中、同一又は相当部分については同一の参照符号を付して説明を繰り返さない。
【００１１】
図１を参照して、本実施形態に係る画像形成装置について説明する。図１は、本実施形態に係る画像形成装置の概略構成を示した断面図である。
【００１２】
図１に示すように、本実施形態に係る画像形成装置１は、用紙Ｐ（記録媒体）にトナー画像を形成することで用紙Ｐに画像を形成する。画像形成装置１は、筐体２（装置本体）と、給紙カセット３と、複数のトナーコンテナ４と、画像形成部５と、定着部６（定着装置）と、排紙トレイ７と、用紙搬送路８と、反転搬送路９とを備える。
【００１３】
筐体２は、画像形成装置１の構成要素（即ち給紙カセット３、トナーコンテナ４、画像形成部５、定着部６、用紙搬送路８及び反転搬送路９）を収容する。
【００１４】
給紙カセット３は、画像形成部５に用紙Ｐを供給する。給紙カセット３には、複数枚の用紙Ｐが積載されて収容される。給紙カセット３内の用紙Ｐは、１枚ずつ繰り出されて、用紙搬送路８を通って画像形成部５に供給される。
【００１５】
複数のトナーコンテナ４は、複数色（例えばシアン、マゼンタ、イエロー、ブラック）に対応しており、複数色のトナーを画像形成部５に供給する。
【００１６】
画像形成部５は、給紙カセット３から供給された用紙Ｐに対し、各トナーコンテナ４から供給された各色のトナーを用いて用紙Ｐに画像を形成する。画像形成部５は、複数の画像形成ユニット５１と、中間転写ベルト５２と、駆動ローラー５３と、従動ローラー５４と、二次転写ローラー５５とを備える。
【００１７】
複数の画像形成ユニット５１は、複数のトナーコンテナ４に対応されて配置される。各画像形成ユニット５１は、対応するトナーコンテナ４からトナーの供給を受け、中間転写ベルト５２の表面に、画像情報に基づいて各色のトナー画像を形成する。これら各色のトナー画像は重ねられる。その結果、中間転写ベルト５２の表面にカラーのトナー画像が形成される。
【００１８】
各画像形成ユニット５１は、感光体ドラム５１ａと、帯電装置５１ｂと、露光装置５１ｃと、現像装置５１ｄと、一次転写ローラー５１ｆと、クリーニング装置５１ｇとを備える。
【００１９】
感光体ドラム５１ａは、その表面に感光層を有する。帯電装置５１ｂは、感光体ドラム５１ａの表面を所定電位に均一に帯電させる。露光装置５１ｃは、帯電された感光体ドラム５１ａの表面にレーザー光を照射して、当該表面に画像情報に対応する静電潜像を形成する。現像装置５１ｄは、トナーコンテナ４から供給されたトナーを用いて、感光体ドラム５１ａの表面の静電潜像をトナー画像として現像する。
【００２０】
一次転写ローラー５１ｆは、感光体ドラム５１ａの表面のトナー画像を中間転写ベルト５２の表面に転写させる。一次転写ローラー５１ｆは、中間転写ベルト５２を介して感光体ドラム５１ａとの間で一次転写ニップ領域Ｎ１を形成する。一次転写ローラー５１ｆの表面には、一次転写電圧が印加されている。その結果、感光体ドラム５１ａの表面のトナー画像は、一次転写ニップ領域Ｎ１を通過すると、一次転写ローラー５１ｆの静電引力によって中間転写ベルト５２に転写される。クリーニング装置５１ｇは、転写後の感光体ドラム５１ａの表面の残留トナーを除去する。
【００２１】
中間転写ベルト５２は、その表面のカラートナー画像を、二次転写ローラー５５に搬送する。中間転写ベルト５２は、無端ベルト状であり、駆動ローラー５３と従動ローラー５４とによって張架されて支持される。中間転写ベルト５２は、駆動ローラー５３の回転駆動によって周回移動され、この周回移動によって、その表面のトナー画像を二次転写ローラー５５に搬送する。
【００２２】
二次転写ローラー５５は、中間転写ベルト５２の表面のトナー画像を用紙Ｐに転写する。二次転写ローラー５５は、中間転写ベルト５２を介して駆動ローラー５３との間で二次転写ニップ領域Ｎ２を形成する。二次転写ローラー５５には、二次転写電圧が印加されている。この結果、中間転写ベルト５２の表面のカラートナー画像が、用紙Ｐと共に二次転写ニップ領域Ｎ２を通過すると、二次転写ローラー５５の静電引力によって、当該トナー画像が用紙Ｐに転写される。トナー画像が転写された用紙Ｐは、用紙搬送路８を通って定着部６に搬送される。
【００２３】
定着部６は、用紙Ｐに転写されたトナー画像を定着させる。定着部６は、加圧ローラー６１と定着ローラー６２とを備える。定着ローラー６２は、用紙Ｐを加熱する発熱源６２ｂを備える。加圧ローラー６１と定着ローラー６２とは、それらの間で定着ニップ領域Ｎ３を形成する。カラートナー画像を転写された用紙Ｐが定着ニップ領域Ｎ３を通過すると、加圧ローラー６１の加圧及び定着ローラー６２の加熱によって、トナー画像が用紙Ｐに定着される。トナー画像が定着された用紙Ｐは、排紙トレイ７に排出される。
【００２４】
排紙トレイ７は、例えば筐体２の上面に配置される。
【００２５】
用紙搬送路８は、給紙カセット３から、二次転写ニップ領域Ｎ２及び定着ニップ領域Ｎ３を順に経由して排紙トレイ７に至る。反転搬送路９は、片面に画像が定着された用紙Ｐを表裏反転させて画像形成部５に搬送する。反転搬送路９は、分岐点Ｔ１と分岐点Ｔ２とを繋ぐ。分岐点Ｔ１は、用紙搬送路８において定着部６に対する用紙搬送方向の下流側にある。分岐点Ｔ２は、用紙搬送路８において画像形成部５に対する用紙搬送方向の上流側にある。
【００２６】
次に図２〜図５を参照して、画像形成装置１の構成について詳しく説明する。図２は、リアカバーが開けられた筐体２の斜視図であり、図３は、筐体２の部分拡大図であって定着カバーが開けられた定着部６を示した図であり、図４は、図３の部分拡大図であり、図５は、リアカバーが閉じられた筐体２の斜視図である。
【００２７】
図２に示すように、筐体２は、開口部２１と、リアカバー２２（側面カバー）と、ロック部材２３とを備える。
【００２８】
筐体２は、例えば直方体形の箱状であり、前面２４と後面２５と左面２６と右面２７とを有する。画像形成装置１に対して、前面２４側を前側とし、後面２５側を後側とし、左面２６側を左側とし、右面２７側を右側とする。
【００２９】
開口部２１は、筐体２の内部を露出させる。開口部２１は、筐体２の内部を保守点検（例えばジャム処理）するために設けられる。開口部２１は、例えば矩形であり、後面２５に設けられる。
【００３０】
リアカバー２２は、開口部２１を開閉する。リアカバー２２は、筐体２の後面２５に対して開閉可能に配置される。詳しくは、リアカバー２２は、開口部２１と同形同大の矩形の板状である。リアカバー２２は、下辺部２２ａを有する。下辺部２２ａは、回動軸線Ｂ１（第３回動軸線）を中心に回動可能に筐体２に支持される。回動軸線Ｂ１は、筐体２の左右方向（後面２５の横幅方向）に沿って伸びている。リアカバー２２が筐体２に対して開けられた状態では、リアカバー２２は、開口部２１を開放して定着部６を露出させる。
【００３１】
定着部６は、筐体２の内部の上部において開口部２１側に配置される。定着部６は、定着部本体６４（定着装置本体）と、定着カバー６５とを備える。定着カバー６５は、定着カバー本体６６と被ロック部６７とを備える。
【００３２】
定着部本体６４は、加圧ローラー６１と定着ローラー６２とを収容する。定着部本体６４は、筐体２の左右方向に沿って配置される。
【００３３】
定着カバー６５は、定着部本体６４の上面及び後面を開閉可能に覆う。定着カバー６５は、定着部本体６４に対して開閉可能に配置される。被ロック部６７は、定着部本体６４に対する定着カバー６５の開状態で、ロック部材２３に係止される。この結果、定着カバー６５が定着部本体６４に対して勝手に閉じることが抑制される。被ロック部６７は、定着カバー６５の横側（例えば右側）に設けられる。
【００３４】
ロック部材２３は、筐体２の内部において、定着部本体６４の後面の横側（例えば右側）に配置される。即ち、ロック部材２３は、定着部本体６４に対する定着カバー６５の開状態で、被ロック部６７に係止する位置に配置される。
【００３５】
図３に示すように、定着カバー６５が定着部本体６４に対して開かれると、定着部本体６４の上面が開放される。定着部本体６４は、上面開口部６８ｅを有する。上面開口部６８ｅは、定着部本体６４の上面が開放されて形成された開口部である。上面開口部６８ｅから定着部本体６４の内部（例えば加圧ローラー６１）が露出される。従って、定着部６の内部の保守点検（例えばジャム処理）が可能である。また、定着カバー６５が定着部本体６４に対して開かれると、被ロック部６７がロック部材２３に係止される（図４参照）。
【００３６】
図５に示すように、リアカバー２２が筐体２に対して閉じられると、リアカバー２２は、開口部２１を閉塞する。従って、定着部６は露出されない。
【００３７】
次に図６〜図８を参照して、定着部６について説明する。図６は、定着カバー６５が閉じられた定着部６の斜視図である。
【００３８】
図６に示すように、定着部６は、上記の定着部本体６４及び定着カバー６５を備える。
【００３９】
定着部本体６４は、上記の加圧ローラー６１及び定着ローラー６２に加えて、筐体６８を備える。筐体６８は、加圧ローラー６１及び定着ローラー６２を収容する。筐体６８は、例えば、左右方向に横長の直方体形の箱状である。定着カバー６５は、上記の定着カバー本体６６及び被ロック部６７に加えて、複数（例えば３個）の排出ローラー７０を備える。定着カバー本体６６は、第１カバー部７１と、第２カバー部７２とを備える。
【００４０】
第１カバー部７１は、筐体６８の後面を開閉可能に覆う。第１カバー部７１の下端部７１ａ側は、回動軸線Ｂ２（第１回動軸線）を中心に回動可能に筐体６８の後面の下端部６８ｈ側に支持される。回動軸線Ｂ２は、筐体６８の長手方向（即ち筐体６８の左右方向、即ち筐体６８の後面の横幅方向）に沿って伸びている。被ロック部６７は、第１カバー部７１の横側（例えば右側）に設けられる。
【００４１】
第２カバー部７２は、筐体６８の上面を開閉可能に覆う。第２カバー部７２の後端部７２ａ側は、回動軸線Ｂ３（第２回動軸線）を中心に回動可能に第１カバー部７１の上端部７１ｂ側に連結される。回動軸線Ｂ３は、筐体６８の長手方向に沿って伸びている。従って、定着カバー６５は、第１カバー部７１と第２カバー部７２との連結部分で折り畳み可能である。
【００４２】
複数の排出ローラー７０は、定着ニップ領域Ｎ３を通過した用紙Ｐを定着部６の外部に排出する。複数の排出ローラー７０は、第２カバー部７２の前端部７２ｂ付近に配置され、前端部７２ｂに沿って互いに間隔を空けて配置される。複数の排出ローラー７０の各々の回転軸線は、回動軸線Ｂ４に一致して筐体６８の長手方向に沿って伸びている。
【００４３】
図７は、図６のVII-VII線に沿った断面図である。
【００４４】
図７に示すように、定着部本体６４は、上記の加圧ローラー６１、定着ローラー６２及び筐体６８に加えて、複数（例えば３個）の排出ローラー６９を更に備える。
【００４５】
筐体６８は、上記の通り直方体形の箱状であり、前壁部６８ａと、後壁部６８ｂと、左壁部６８ｃ（図６参照）と、右壁部６８ｄ（図６参照）とを有する。また、筐体６８は、上記の上面開口部６８ｅと、下面開口部６８ｆとを有する。下面開口部６８ｆは、筐体６８の下面が開放されて形成された開口部である。下面開口部６８ｆは、用紙Ｐを定着部本体６４の内部に搬入するための開口部である。なお、上面開口部６８ｅは、定着部本体６４の上面であり、後壁部６８ｂの後面６８ｇは、筐体６８の後面であり、定着部本体６４の後面である。
【００４６】
加圧ローラー６１及び定着ローラー６２は、筐体６８の内部において回転可能に配置される。定着ローラー６２は、例えば加圧ローラー６１の前側に配置され、加圧ローラー６１との間で定着ニップ領域Ｎ３を形成する。加圧ローラー６１及び定着ローラー６２の各々の回転軸線は、筐体６８の長手方向に沿って伸びている。加圧ローラー６１及び定着ローラー６２の各々の両端は、左壁部６８ｃ及び右壁部６８ｄに回転可能に支持される。
【００４７】
定着ローラー６２は、ローラー本体６２ａと上記の発熱源６２ｂとを備える。ローラー本体６２ａは、筒状である。発熱源６２ｂは、ローラー本体６２ａの内部に配置される。
【００４８】
複数の排出ローラー６９は、定着ニップ領域Ｎ３を通過した用紙Ｐを複数の排出ローラー７０と協働して定着部６の外部に排出する。複数の排出ローラー６９は、筐体６８の内部において回転可能に配置される。複数の排出ローラー６９は、上面開口部６８ｅの前縁６８ｉに配置される。複数の排出ローラー６９の各々は、複数の排出ローラー７０の各々とニップ領域Ｎ４を形成する。
【００４９】
定着部６は、画像形成部５から搬出された用紙Ｐを、下面開口部６８ｆから定着部本体６４の内部に搬入する。搬入された用紙Ｐは、定着ニップ領域Ｎ３を通過する。その通過の際、加圧ローラー６１の加圧及び定着ローラー６２の加熱によって、用紙Ｐ上のトナー画像が定着される。そして、定着ニップ領域Ｎ３を通過した用紙Ｐは、ニップ領域Ｎ４を通過して、排出ローラー６９及び排出ローラー７０によって、前縁６８ｉと前端部７２ｂとの間から定着部６の外部に排出される。
【００５０】
また、定着部６では、回動軸線Ｂ２を中心に矢印方向Ｙ１に定着カバー６５が回動されると、定着カバー６５が定着部本体６４に対して開かれる。
【００５１】
図８は、定着カバーが開けられた定着部６の斜視図である。
【００５２】
図８に示すように、定着カバー６５が定着部本体６４に対して開かれると、上面開口部６８ｅ及び後面６８ｇが開放される。開放された上面開口部６８ｅからは、定着部本体６４の内部（特に加圧ローラー６１）が露出される。
【００５３】
複数の排出ローラー６９は、前縁６８ｉに沿って（即ち筐体６８の長手方向に沿って）互いに間隔を空けて配置される。複数の排出ローラー６９の各々の回転軸線は、一致して筐体６８の長手方向に沿って伸びている。
【００５４】
また、筐体６８は、係合部６８ｊを更に備える。係合部６８ｊは、定着カバー６５を回動軸線Ｂ２を中心に回動可能に支持する。係合部６８ｊは、筐体６８の後面６８ｇの下端部６８ｈの左右両側に設けられる。
【００５５】
次に図９〜図１２を参照して、定着カバー６５について詳しく説明する。図９は、折り畳まれていない定着カバー６５の斜視図であり、図１０は、折り畳まれた定着カバー６５の斜視図である。図１１は、第１カバー部７１及び被ロック部６７の斜視図である。
【００５６】
図９に示すように、定着部６では、第２カバー部７２が第１カバー部７１に対して回動軸線Ｂ３を中心に矢印方向Ｙ２に回動可能である。図１０に示すように、第２カバー部７２が第１カバー部７１に対して回動軸線Ｂ３を中心に矢印方向Ｙ２に回動されると、第２カバー部７２は、第１カバー部７１に対して折り畳まれる。従って、定着部６の保守点検の際に、定着カバー６５が折り畳まれることで、定着カバー６５が邪魔になることが抑制される。
【００５７】
図１１に示すように、第１カバー部７１は、板状部８１と、枠部８２と、複数のリブ部８３と、一対の被係合部８４と、一対の係合部８５と、第１付勢部材（不図示）と、第２付勢部材（不図示）とを備える。
【００５８】
板状部８１は、定着部本体６４の後面６８ｇを開閉可能に覆う。板状部８１は、左右方向に横長な矩形の板状である。板状部８１の外面８１ｅは、反転搬送路９のガイド部として機能する。枠部８２は、板状部８１の強度を補強する。枠部８２は、板状部８１の内面（即ち前面）８１ａの周囲に立設される。リブ部８３は、板状部８１の強度を補強する。リブ部８３は、板状部８１の内面８１ａに格子状に立設される。板状部８１の下端部８１ｂは、第１カバー部７１の下端部７１ａを構成し、板状部８１の上端部８１ｃは、第１カバー部７１の上端部７１ｂを構成する。
【００５９】
一対の被係合部８４は、定着部本体６４の係合部６８ｊに係合される。この結果、第１カバー部７１は、回動軸線Ｂ２を中心に回動可能に定着部本体６４に支持される。一対の被係合部８４は、板状部８１の内面８１ａにおいて、板状部８１の下端部８１ｂ側の左右両側に設けられる。
【００６０】
被係合部８４は、支持部８４ａと、回動軸部８４ｂとを有する。支持部８４ａは、回動軸部８４ｂを支持する。支持部８４ａは、例えば板状である。支持部８４ａは、板状部８１の内面８１ａに立設される。支持部８４ａは、その両側の主面を左右方向に向けて、内面８１ａ側に突出する。回動軸部８４ｂは、定着部本体６４の係合部６８ｊに回動可能に支持される。回動軸部８４ｂは、支持部８４ａの外側の主面に立設される。回動軸部８４ｂの中心軸線は、回動軸線Ｂ２に一致する。
【００６１】
一対の係合部８５は、第２カバー部７２に係合する。この結果、第２カバー部７２は、回動軸線Ｂ３を中心に回動可能に第１カバー部７１に支持される。一対の係合部８５は、板状部８１の上端部８１ｃの左右両側に設けられる。
【００６２】
係合部８５は、支持部８５ａと、回動軸部８５ｂとを有する。支持部８５ａは、回動軸部８５ｂを支持する。支持部８５ａは、例えば板状である。板状部８１は、凹状の切欠部８１ｄを有する。切欠部８１ｄは、板状部８１の上端部８１ｃの左右両側に設けられる。支持部８５ａは、切欠部８１ｄの一方側の側辺（例えば左辺）に設けられる。支持部８５ａは、板状部８１の内面８１ａに対して垂直であり、内面８１ａ側に突出する。回動軸部８５ｂは、第２カバー部７２に回動可能に支持される。回動軸部８５ｂは、切欠部８１ｄの内側（即ち右側）に突出するように、支持部８５ａに設けられる。回動軸部８５ｂの中心軸線は、回動軸線Ｂ３に一致する。
【００６３】
第１付勢部材は、第１カバー部７１を、定着部本体６４に対して閉じる方向に付勢する。第１付勢部材は、例えば、ねじりバネである。第１付勢部材がねじりバネである場合は、第１付勢部材は例えば回動軸部８４ｂに巻装される。そして、第１付勢部材の一端部は、第１カバー部７１に固定され、第１付勢部材の他端部は、定着部本体６４に固定される。
【００６４】
第２付勢部材は、第２カバー部７２を、第１カバー部７１に対して折り畳む方向に付勢する。第２付勢部材は、例えば、ねじりバネである。第２付勢部材がねじりバネである場合は、第２付勢部材は例えば回動軸部８５ｂに巻装される。そして、第２付勢部材の一端部は、第１カバー部７１に固定され、第２付勢部材の他端部は、第２カバー部７２に固定される。
【００６５】
被ロック部６７は、定着部本体６４に対する定着カバー６５の開状態で、ロック部材２３に係止する。また、被ロック部６７は、筐体２に対するリアカバー２２の閉状態で、リアカバー２２に押圧される。この結果、被ロック部６７は、定着カバー６５を定着部本体６４に対して閉じる方向に押圧する。被ロック部６７は、第１カバー部７１における長手方向の一方の端部（例えば右端部）７１ｃに設けられる。端部７１ｃは、枠部８２の右側の枠部分の外側面である。被ロック部６７は、第１カバー部７１の横側（例えば右側）に張り出している。
【００６６】
被ロック部６７は、被係止部９０と、被押圧部９１とを有する。
【００６７】
被係止部９０は、ロック部材２３に係止される。被係止部９０は、例えば矩形の板状である。被係止部９０は、第１カバー部７１の端部７１ｃに設けられる。被係止部９０は、第１カバー部７１の横側（即ち右側）に張り出しており、第１カバー部７１の板状部８１に対して略平行である。
【００６８】
被押圧部９１は、筐体２に対するリアカバー２２の閉状態で、リアカバー２２によって押圧される。被押圧部９１は、支持部９１ａと、被押圧部本体９１ｂと、補強壁９１ｃと、連結部９１ｄとを有する。
【００６９】
支持部９１ａは、被押圧部本体９１ｂを支持する。支持部９１ａは、例えば上下方向に縦長の矩形の板状である。支持部９１ａは、第１カバー部７１の端部７１ｃに設けられる。支持部９１ａは、端部７１ｃに平行であり、端部７１ｃの上側に突出される。
【００７０】
被押圧部本体９１ｂは、例えば矩形の板状である。被押圧部本体９１ｂは、支持部９１ａに設けられる。被押圧部本体９１ｂは、第１カバー部７１の横側（例えば右側）に張り出しており、被係止部９０に対して略平行である。被押圧部本体９１ｂは、被係止部９０の上側であって被係止部９０よりも後側に配置される。
【００７１】
補強壁９１ｃは、被押圧部本体９１ｂの強度を補強する。補強壁９１ｃは、被押圧部本体９１ｂと支持部９１ａとの境界の凹角部に設けられる。連結部９１ｄは、例えば矩形の板状である。連結部９１ｄは、支持部９１ａに立設され、被押圧部本体９１ｂの下端部と被係止部９０の上端部とを連結する。この結果、被係止部９０と被押圧部９１とが一体となり、被ロック部６７の強度が補強される。
【００７２】
図１２は、第２カバー部７２の斜視図である。
【００７３】
図１２に示すように、第２カバー部７２は、両面ガイド部１００と、反転ガイド部１０１とを備える。
【００７４】
両面ガイド部１００は、用紙搬送路８の一部を構成すると共に反転搬送路９の一部を構成する。両面ガイド部１００は、例えば略直方体形の箱状であり、前壁部１０２と、後壁部１０３と、左壁部１０４と、右壁部１０５と、連結壁部１０６とを有する。
【００７５】
前壁部１０２は、用紙搬送路８のガイド部として機能し、定着ニップ領域Ｎ３を通過した用紙Ｐをニップ領域Ｎ４に案内する。前壁部１０２は、左右方向に横長の矩形の板状である。前壁部１０２は、複数（例えば３個）の切欠部１０２ａを有する。切欠部１０２ａは、凹状であり、排出ローラー７０が配置される。切欠部１０２ａは、前壁部１０２の上端部１０２ｂに設けられる。
【００７６】
後壁部１０３は、反転搬送路９のガイド部として機能する。後壁部１０３は、左右方向に横長の矩形の板状である。後壁部１０３は、上端部１０３ａ及び下端部１０３ｂを有し、上端部１０３ａから下端部１０３ｂに向かって円弧状の下り傾斜である。後壁部１０３の下端部１０３ｂは、第２カバー部７２の後端部７２ａを構成する。
【００７７】
左壁部１０４は、下部貫通孔１０４ａを有する。下部貫通孔１０４ａは、第１カバー部７１の左側の回動軸部８５ｂが回動可能に挿通される。下部貫通孔１０４ａは、左壁部１０４の下部の後壁部１０３側に設けられる。右壁部１０５は、下部貫通孔１０５ａを有する。下部貫通孔１０５ａは、第１カバー部７１の右側の回動軸部８５ｂが回動可能に挿通される。下部貫通孔１０５ａは、右壁部１０５の下部の後壁部１０３側に設けられる。下部貫通孔１０５ａは、例えば筒状であり、右壁部１０５の外側に突出される。下部貫通孔１０４ａに左側の回動軸部８５ｂが挿通され、下部貫通孔１０５ａに右側の回動軸部８５ｂが挿通されることで、第２カバー部７２は、回動軸線Ｂ３を中心に回動可能に第１カバー部７１に連結される。
【００７８】
左壁部１０４及び右壁部１０５はそれぞれ、上部貫通孔（不図示）を有する。上部貫通孔は、左壁部１０４及び右壁部１０５における上部の前壁部１０２側に設けられ、反転ガイド部１０１を回動可能に支持する。
【００７９】
連結壁部１０６は、左右方向に横長の矩形の板状である。連結壁部１０６は、前壁部１０２の下端部１０２ｃと、後壁部１０３の上端部１０３ａとを連結する。連結壁部１０６の左右の端部はそれぞれ、左壁部１０４及び右壁部１０５に連結される。
【００８０】
反転ガイド部１０１は、反転搬送路９のガイド部として機能する。また、反転ガイド部１０１は、用紙搬送路８と反転搬送路９との分岐点Ｔ１を構成すると共に、反転搬送路９の入り口の閉塞と開通とを切り替える。反転ガイド部１０１は、両面ガイド部１００の上面を覆うように配置される。
【００８１】
反転ガイド部１０１は、板状部１０１ａと、左右の支持部１０１ｂ，１０１ｃと、回転軸部１０１ｄと、駆動入力部１０１ｊと、複数のリブ部１０１ｈとを備える。
【００８２】
板状部１０１ａは、左右方向に横長の矩形の板状である。板状部１０１ａは外面（即ち上面）１０１ｅを有し、外面１０１ｅは、反転搬送路９のガイド部として機能する。板状部１０１ａの前端部１０１ｉは、第２カバー部７２の前端部７２ｂを構成する。
【００８３】
板状部１０１ａは、複数（例えば３個）の開口部１０１ｆを有する。複数の開口部１０１ｆは、板状部１０１ａの長手方向（即ち左右方向）に沿って互いに間隔を空けて配置される。複数の開口部１０１ｆには、複数の排出ローラー７０が配置される。
【００８４】
左右の支持部１０１ｂ，１０１ｃは、回転軸部１０１ｄを回転可能に支持する。左右の支持部１０１ｂ，１０１ｃは、板状部１０１ａの内面（即ち下面）１０１ｇの左右両端において立設され、内面１０１ｇ側に突出する。左右の支持部１０１ｂ，１０１ｃは貫通孔（不図示）を有し、それらの貫通孔に回転軸部１０１ｄの両端側が回転可能に挿通される。回転軸部１０１ｄの中心軸線は、回動軸線Ｂ４に一致する。回転軸部１０１ｄには、複数の排出ローラー７０が同心状に固定される。
【００８５】
複数の排出ローラー７０の各々は、複数の開口部１０１ｆの各々に対応し、対応する開口部１０１ｆから板状部１０１ａの外面１０１ｅ側に張り出される。また、複数の排出ローラー７０の各々は、両面ガイド部１００の複数の切欠部１０２ａの各々に対応し、対応する切欠部１０２ａから前壁部１０２の前側に張り出される。
【００８６】
回転軸部１０１ｄの両端部は、両面ガイド部１００の左右の上部貫通孔に回転可能に挿通される。この結果、反転ガイド部１０１は、両面ガイド部１００に対して回動軸線Ｂ４を中心にして回動可能である。この回動によって、反転ガイド部１０１の前端部１０１ｉは、上下に回動可能である。前端部１０１ｉは、分岐点Ｔ１を構成する。前端部１０１ｉが下向きになるように回動されると、反転搬送路９の入り口が開通され、前端部１０１ｉが上向きになるように回動されると、反転搬送路９の入り口が閉塞される。
【００８７】
駆動入力部１０１ｊは、回転軸部１０１ｄを回転させる駆動力が入力される。駆動入力部１０１ｊは、回転軸部１０１ｄの一端部に固定される。
【００８８】
複数のリブ部１０１ｈは、板状部１０１ａの強度を補強する。複数のリブ部１０１ｈは、板状部１０１ａの内面１０１ｇに格子状に立設される。
【００８９】
図１３を参照して、ロック部材２３について詳しく説明する。図１３は、ロック部材２３の斜視図である。
【００９０】
図１３に示すように、ロック部材２３は、支持部２３ａと、係止部２３ｂとを有する。支持部２３ａは、係止部２３ｂを支持する。支持部２３ａは、筐体２の内部の部位を覆うカバー部材として兼用される。支持部２３ａは、例えば上下方向に縦長の矩形の板状である。支持部２３ａは、定着部６の後面６８ｇの横側（例えば右側）に配置される。
【００９１】
係止部２３ｂは、定着部本体６４に対する定着カバー６５の開状態で、被ロック部６７の被係止部９０に係止する。係止部２３ｂは、例えば矩形の板状である。係止部２３ｂは、支持部２３ａの左端部２３ｃに設けられる。係止部２３ｂは、左端部２３ｃから左方向に突出される。従って、係止部２３ｂは、定着部本体６４に対する定着カバー６５の閉状態で、被ロック部６７の後側（詳しくは真後側且つ下側）に配置される。また、係止部２３ｂは、その両側の主面を前後に向けて支持部２３ａに設けられる。
【００９２】
次に図１４〜図１７を参照して、定着カバー６５の開動作について説明する。図１４は、定着カバー６５が閉じられた定着部６の側面視の断面図であり、図１５は、定着カバー６５が途中まで開けられた定着部６の側面視の断面図であり、図１６は、定着カバー６５が全開された定着部６の側面視の断面図である。
【００９３】
図１４に示すように、定着カバー６５が定着部本体６４に対して閉じられたときは、定着カバー６５が定着部本体６４の上面開口部６８ｅ及び後面６８ｇを閉塞する。そして、定着カバー６５を定着部本体６４に対して開ける際は、定着カバー６５を回動軸線Ｂ２を中心に矢印方向Ｙ３に回動させる。
【００９４】
図１５に示すように、定着カバー６５が定着部本体６４に対して途中まで開けられたときは、第１カバー部７１が回動軸線Ｂ２を中心に矢印方向Ｙ３に回動すると共に、第２付勢部材が第２カバー部７２を回動軸線Ｂ３を中心に矢印方向Ｙ４に回動させる。従って、第２カバー部７２は、定着部本体６４の上面開口部６８ｅ上を摺動しながら後進して上面開口部６８ｅを開放する。即ち、第２カバー部７２は、定着部本体６４の上空を円弧軌道を描いて回動しない。この結果、定着部本体６４の上空に、第２カバー部７２の開閉動作のためのスペースを確保する必要がなく、画像形成装置１を小型化できる。
【００９５】
そして、図１６に示すように、第１カバー部７１が回動軸線Ｂ２を中心に矢印方向Ｙ３に所定角度（例えば９０°）回動すると、定着カバー６５が定着部本体６４に対して全開される。
【００９６】
図１７は、定着カバー６５の開動作に伴う被ロック部６７の動作を示した側面視図である。
【００９７】
図１７に示すように、定着カバー６５が定着部本体６４に対して閉じた位置（一点鎖線で図示された位置）から全開された位置（点線で図示された位置）に回動軸線Ｂ２を中心に回動されたとき、定着カバー６５の被ロック部６７は、回動軸線Ｂ２を中心に矢印方向Ｙ６に回動する。その際、被ロック部６７は、ロック部材２３の係止部２３ｂの後側を上から下に通る。
【００９８】
そして、定着カバー６５が全開された位置に回動されると、被係止部９０の下端部９０ｅが係止部２３ｂの下端部２３ｄの下側に潜り込む。従って、被係止部９０が係止部２３ｂに係止される。従って、定着カバー６５が定着部本体６４に対して閉じる方向（即ち矢印方向Ｙ５）に回動することが抑制される。この結果、ジャム処理の際に、定着カバー６５が勝手に閉じないように定着カバー６５を手で押さえる必要が無くなり、ジャム処理の作業性が向上する。
【００９９】
なお、被係止部９０の下端部９０ｅだけが係止部２３ｂの下側に潜り込むため、所定の大きさの力によって、定着カバー６５を矢印方向Ｙ５に回動させると、被係止部９０と係止部２３ｂとの間の係止は解除される。
【０１００】
次に図１８を参照して、定着カバー６５の閉動作について説明する。図１８は、リアカバー２２及び定着カバー６５が開けられた筐体２の側面視の断面図である。
【０１０１】
図１８に示すように、定着カバー６５を定着部本体６４に対して閉じるときは、リアカバー２２を回動軸線Ｂ１を中心に矢印方向Ｙ７に回動させて、リアカバー２２を筐体２に対して閉じる。リアカバー２２のこの閉動作の途中で、リアカバー２２が定着カバー６５を斜め上方向Ｙ８に押圧する。この押圧によって、被ロック部６７の被係止部９０がロック部材２３の係止部２３ｂから外れる。即ち、被係止部９０と係止部２３ｂとの間の係止が解除される。そして、リアカバー２２が定着カバー６５を回動軸線Ｂ２を中心に矢印方向Ｙ９に回動させる。矢印方向Ｙ９は、定着カバー６５が定着部本体６４に対して閉じる方向である。
【０１０２】
そして、リアカバー２２が筐体２に対して閉じられると、定着カバー６５が定着部本体６４に対して閉じられる。従って、定着カバー６５は、リアカバー２２の閉動作に伴ってリアカバー２２によって閉じられる。この結果、定着カバー６５の閉じ操作が容易である。
【０１０３】
以上、図面（図１〜図１８）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【０１０４】
１  画像形成装置
２  装置本体
６  定着部
２２  リアカバー
２３  ロック部材
２３ｂ  係止部
２５  後面
６４  定着部本体
６５  定着カバー
６６  定着カバー本体
６７  被ロック部
６８ｇ  後面
６８ｈ  下端部
７１  第１カバー部
７１ａ  下端部
７１ｂ  上端部
７２  第２カバー部
７２ａ  下端部
９０ｅ  下端部
Ｂ１  回動軸線
Ｂ２  回動軸線
Ｂ３  回動軸線
Ｐ  用紙
【図１】
0006304138.tif 000002
【図２】
0006304138.tif 000003
【図３】
0006304138.tif 000004
【図４】
0006304138.tif 000005
【図５】
0006304138.tif 000006
【図６】
0006304138.tif 000007
【図７】
0006304138.tif 000008
【図８】
0006304138.tif 000009
【図９】
0006304138.tif 000010
【図１０】
0006304138.tif 000011
【図１１】
0006304138.tif 000012
【図１２】
0006304138.tif 000013
【図１３】
0006304138.tif 000014
【図１４】
0006304138.tif 000015
【図１５】
0006304138.tif 000016
【図１６】
0006304138.tif 000017
【図１７】
0006304138.tif 000018
【図１８】
0006304138.tif 000019